(57)【要約】【課題】単に他の人物等を模す以上の演出が可能な顔造形体を提供する。【解決手段】被装着面に向かう裏面Ｂ及び裏面Ｂに対する表面Ａを有する面本体１０、面本体１０の裏面Ｂ及び表面Ａを貫通する目孔部３５、裏面Ｂの側にあって、かつ目孔部３５と離間して設けられる目玉部材３０と、を備え、目玉部材３０は、目孔部３５に対向し、表面Ａから裏面Ｂに向かう凹形状をなす凹面３７を有し、この凹面３７の少なくとも一部は、表面Ａの側から目孔部３５を介して視認される。【選択図】図２
0003212679.tif 000002
【実用新案登録請求の範囲】
【請求項１】
表面及び裏面を有する面部材と、
前記面部材の前記裏面及び前記表面を貫通する貫通孔部と、
前記裏面の側にあって、かつ前記貫通孔部と離間して設けられる目玉部材と、を備え、
前記目玉部材は、前記表面の側から前記貫通孔部を介して視認される画像が付された目玉面を有する、顔造形体。
【請求項２】
前記目玉面は、前記表面から前記裏面に向かう後方に凹形状をなす凹面を有し、当該凹面の少なくとも一部が前記表面の側から前記貫通孔部を介して視認される、請求項１に記載の顔造形体。
【請求項３】
前記目玉面は、前記画像として、瞳を模した図画を有する瞳部を前記表面の側から前記貫通孔部を介して視認される位置に備える、請求項１または２に記載の顔造形体。
【請求項４】
前記瞳部は表裏を貫通する瞳貫通孔を有し、当該瞳貫通孔の開口径の最大長さが１ｍｍ以上、３ｍｍ以下である、請求項３に記載の顔造形体。
【請求項５】
前記瞳部は前記図画において瞳の光を示す白斑を有し、当該白斑の最大長さが前記瞳貫通孔の開口径の最大長さよりも小さい、請求項４に記載の顔造形体。
【請求項６】
前記面部材は、前記裏面が被装着面に装着されて前記被装着面上において前記表面が視認される面本体である、請求項１から５のいずれか１項に記載の顔造形体。
【請求項７】
前記凹面の裏面が後方に突出する頂点を囲む周囲領域の少なくとも一部に設けられ、前記頂点よりも前記貫通孔部から遠い位置にある面を有する突出部をさらに備える、請求項２から６のいずれか１項に記載の顔造形体。
【請求項８】
前記貫通孔部は、一の前記面部材に対して一または二個形成され、前記目玉部材は、前記貫通孔部に対応して一または二個備えられる、請求項１から７のいずれか１項に記載の顔造形体。
【請求項９】
前記面部材は、前記表面上で視認される顔画像が形成されたシート部材である、請求項１から５のいずれか１項に記載の顔造形体。
【請求項１０】
前記面部材の前記裏面及び前記目玉面に接し、前記裏面と前記目玉面との間の距離を一定に保つ距離保持部を有する、請求項９に記載の顔造形体。
【請求項１１】
前記目玉部材は透明の板部材であり、当該板部材の一の面が前記裏面と接し、前記板部材の一の面の裏面が前記目玉面であり、前記裏面と前記目玉面との間の距離を前記板部材の厚さに保つ、請求項９に記載の顔造形体。
【請求項１２】
被装着面に向かう裏面及び当該裏面の反対面に当たる表面を有する面部材に装着される目玉部材であって、
前記表面から前記裏面に向かう後方に凹形状をなす凹面を有し、当該凹面の底部を含む領域に瞳を模した図画を有する瞳部を備える、目玉部材。
【請求項１３】
前記凹面の裏面が後方に突出する頂点を囲む周囲領域の少なくとも一部に設けられ、前記頂点よりも後方にある面を有する突出部をさらに備える、請求項１２に記載の目玉部材。
【請求項１４】
裏面及び当該裏面の反対面に当たる表面を有するシート部材の前記裏面の側に固定される目玉部材であって、
前記シート部材に形成された貫通孔部を介して前記表面の側から視認される画像が付された目玉面を有し、
前記目玉面は、前記裏面と距離を持って位置する、目玉部材。
【請求項１５】
前記シート部材の前記裏面及び前記目玉面に接し、前記裏面と前記目玉面との間の距離を一定に保つ距離保持部を有する、請求項１４に記載の目玉部材。
【請求項１６】
前記目玉部材は透明の板部材であり、当該板部材の一の主面が前記裏面と接し、他の主面が前記目玉面であり、前記裏面と前記目玉面との間の距離を前記板部材の厚さに保つ、請求項１４に記載の目玉部材。
【請求項１７】
請求項１から請求項７のいずれか１項に記載の顔造形体を製造する顔造形体製造用パーツであって、前記面部材及び前記目玉部材をそれぞれ展開した平面形状をなす顔造形体製造用パーツ。
【請求項１８】
シート状の顔造形体材料上にフレーム部と、前記フレーム部に対して打ち抜き可能に連結された請求項１７に記載の顔造形体製造用パーツと、を含む顔造形体製造用材。
【考案の詳細な説明】
【技術分野】
【０００１】
本考案は、顔造形体、顔造形体に使用される目玉部材、顔造形体を製造するための顔造形体製造用パーツ及び顔造形体製造用材に関する。
【背景技術】
【０００２】
人間や動物、さらにはアニメーション等のキャラクターを模した顔造形体がパーティ等のイベントで使用されている。顔造形体とは、上記した人間等の顔を含む造形物をいい、具体的には、ポスターや看板、人形（フィギュア）及びマスク等を指す。このような顔造形物のうち、例えばマスクは、マスクを装着した装着者がマスクの形状が示す人物等になったような演出効果を生じる機能を有している。公知のマスクは、例えば、特許文献１や特許文献２に記載されている。
【先行技術文献】
【特許文献】
【０００３】
【特許文献１】特開２００３−３４０１６４号公報
【特許文献２】特開平９−２９１４０８号公報
【考案の概要】
【考案が解決しようとする課題】
【０００４】
しかしながら、イベント等の場においてさらなる話題性が要求されており、上記公知のマスクには更なるギミック性が望まれている。
本考案は、このような点に鑑みてなされたものであり、単に他の人物等を模す以上の演出が可能な顔造形体、目玉部材、顔造形体製造用パーツ及び顔造形体製造用材を提供することを目的とする。
【課題を解決するための手段】
【０００５】
本考案の顔造形体は、表面及び裏面を有する面部材と、前記面部材の前記裏面及び前記表面を貫通する貫通孔部と、前記裏面の側にあって、かつ前記貫通孔部と離間して設けられる目玉部材と、を備え、前記目玉部材は、前記表面の側から前記貫通孔部を介して視認される画像が付された目玉面を有する。
【０００６】
本考案の目玉部材は、被装着面に向かう裏面及び当該裏面の反対面に当たる表面を有する面部材に装着される目玉部材であって、
前記表面から前記裏面に向かう後方に凹形状をなす凹面を有し、当該凹面の底部を含む領域に瞳を模した図画を有する瞳部を備える。
また、本考案の目玉部材は、裏面及び当該裏面の反対面に当たる表面を有するシート部材の前記裏面の側に固定される目玉部材であって、前記シート部材に形成された貫通孔部を介して前記表面の側から視認される画像が付された目玉面を有し、前記目玉面は、前記裏面と距離を持って位置する。
【０００７】
本考案の顔造形体製造用パーツは、上記顔造形体を製造する顔造形体製造用パーツであって、前記面部材及び前記目玉部材をそれぞれ展開した平面形状をなす。
【０００８】
本考案の顔造形体製造用材は、シート状の顔造形体材料上にフレーム部と、前記フレーム部に対して打ち抜き可能に連結された上記顔造形体製造用パーツと、を含む。
【考案の効果】
【０００９】
上記顔造形体、目玉部材、顔造形体製造用パーツ及び顔造形体製造用材は、単に他の人物等を模す以上の演出が可能な顔造形体を提供することができる。
【図面の簡単な説明】
【００１０】
【図１】本考案の一実施形態の顔造形体としてのマスクを説明するための模式的な斜視図である。
【図２】図１に示したマスクの模式的な分解斜視図である。
【図３】図１に示したマスクを裏面の側から見た模式図である。
【図４】本考案の一実施形態の目玉部材を前方から見た模式的な斜視図である。
【図５】図４中に示した矢線Ｃ−Ｃにおける目玉部材の上部分の横断面図である。
【図６】本考案の第一実施形態の効果を説明するための図である。
【図７】（ａ）は本考案の一実施形態のマスク製造用パーツを示した図、（ｂ）は本考案の一実施形態のマスク製造用材を示した図である。
【図８】本考案の面部材を図１に示した面本体と異なる構成にした第一変形例を説明するための図である。
【図９】本考案の面部材を図１に示した面本体と異なる構成にした第二変形例を説明するための図である。
【図１０】本考案の面部材を図１に示した面本体と異なる構成にした第三変形例を説明するための図である。
【図１１】本考案の第二実施形態の顔造形体を説明するための図である。
【図１２】本考案の第二実施形態の顔造形体の他の例を説明するための図である。
【考案を実施するための形態】
【００１１】
以下、本考案の第一実施形態、第二実施形態を図面に基づいて説明する。これらの実施形態においては、すべての図面において、同様の構成要素には同様の符号を付し、重複する説明は適宜省略する。
【００１２】
＜第一実施形態＞
［顔造形体］
第一実施形態では、顔造形体をマスクとして構成した例をあげて説明する。
図１は、本考案の一実施形態顔造形体であるマスク１を説明するための模式的な斜視図である。図２は、図１に示したマスク１の模式的な分解斜視図である。図３は、マスク１を裏面の側から見た模式図である。
第一実施形態では、マスク１を紙製のパーツを折り曲げて貼り合わせて作成されるペーパークラフトとした例をあげて説明する。ただし、第一実施形態のマスクは、ペーパークラフトであることに限定されず、布や樹脂、革等、どのような素材であってもよい。また、貼り合わせて製造されるものに限定されず、縫い合わせる、あるいは嵌め合わせる等して製造されるものであってもよい。さらに、マスクを樹脂等によって一体成型するものであってもよい。
【００１３】
本考案のマスク１は、人間やマネキン人形等の顔面に装着して使用される。マスク１は、表面Ａ及び表面Ａに対する裏面Ｂを有する面部材を備えている。第一実施形態の面部材は、裏面Ｂが被装着面に装着されて被装着面上において表面Ａが視認される面本体１０である。面本体１０は、被装着面に沿う曲面を含むように構成されている。
面本体１０は、面本体１０の裏面Ｂ及び表面Ａを貫通する貫通孔部である目孔部３５と、裏面Ｂの側にあって、かつ目孔部３５と離間して設けられる目玉部材３０と、を備えている。目玉部材３０は、表面Ａの側から目孔部３５を介して視認される画像が付された目玉面を有している。第一実施形態では、目玉面が、目孔部３５に対向し、表面Ａから裏面Ｂに向かう後方に凹形状をなす凹面３７として構成される。凹面３７の少なくとも一部は、表面Ａの側から目孔部３５を介して視認される画像である瞳を模した図画を有する瞳部５０を表面Ａの側から目孔部３５を介して視認される位置に備えている。
なお、第一実施形態では、目孔部３５が面本体１０に対して二個（一対）成形されている。ただし、第一実施形態は、後述するように、目孔部を面部材に一つ設けても構成することができる。
【００１４】
（面本体）
上記構成のうち、面本体１０は、人間、動物、ロボット及びキャラクターの顔を想起させるための部品を有していて、部品としては例えば目鼻や耳、髪及び装飾等が考えられる。第一実施形態の面本体１０は、どのようなものの顔を表したものであってもよいが、目、または目と同様に視覚情報を取り込むカメラ等のパーツを有するものとする。
面本体１０の表裏は、顔面等の被装着面に向う側を「裏面」として決定する。このことから、面本体１０の表面が外部に向かい、顔を模した図画や色彩を有し、目鼻等が表れる面となる。
上記本考案のマスクは、マスク１の表面側からこれを目視する観測者が様々な視線方向からマスク１を目視しても、マスク１の目が観測者を見ているように見えるという効果を奏するものであり、このような効果は、「マスク１の目が観測者を追ってくるように見える」とも言える。また、第一実施形態のマスク１は、マスク１をカメラで撮影する場合、どの角度から写真を撮っても写真のマスク１が常にカメラ目線になるというギミックを有している。
【００１５】
ペーパークラフトとして構成されるマスク１の面本体１０は、正面パーツ１１、側面パーツ１２及び上面パーツ１３を貼り合わせて構成される。正面パーツ１１には、目玉部材３０（図２）と対応する位置に目孔部３５が二か所形成されている。第一実施形態では、正面パーツ１１のうちの目孔部３５を含む領域と鼻とを目鼻パーツ２０として正面パーツ１１と組み合わされるものとする。目鼻パーツ２０の鼻の部分は表面Ａの前方に向かって突出していて、マスク１は、凹凸のある立体的なデザインになっている。
また、側面パーツ１２は正面パーツ１１の左右の側方に配置され、耳と係合するゴム等が通される耳孔１２ａを有している。
ペーパークラフトの面本体１０は、このような構成に限定されるものではない。例えば、面本体１０を構成するパーツは上記したものに限定されるものでなく、面本体１０をどのように切り分けるものであってもよい。
また、面本体１０は、以上説明したように、顔の前面だけを装着面とする構成に限定されるものではない。例えば、さらに人間やマネキン人形等の頭頂部や後頭部を覆うパーツを有するものであってもよい。
【００１６】
図２に示すように、面本体１０と目玉部材３０とは、図中に示した座標のｘ軸に沿って配置されている。第一実施形態では、＋ｘ軸方向を「前」あるいは「前方」、−ｘ軸方向を「後」あるいは「後方」とも記す。このような定義によれば、面本体１０と目玉部材３０とは前後に配置され、目玉部材３０は面本体１０の後方に配置されている。
第一実施形態の目玉部材３０は、凹面３７となる平面に切り込み３２を入れて一部を重ね合わせることによって凹面を形成している。このため、凹面３７は、後方に凸の略円錐形の頂点３８を有し、この頂点３８に凹面３７の表裏を貫通する瞳貫通孔３９を備えている。また、目玉部材３０は、面本体１０の裏面Ｂに接着剤によって取り付けられることから、凹面３７の上下に接着部３１、３３を有している。
【００１７】
（突出部）
さらに、第一実施形態では、目玉部材３０の凹面３７の裏面が後方に突出する頂点３８を囲む周囲領域の少なくとも一部に設けられ、頂点３８よりも目孔部３５から遠い位置にある面４５を有する突出部４０ａ、４０ｂを備えている。突出部４０ａ、４０ｂは、面本体１０に装着された際の頂点３８に対応する部分が開口されていて、開口部４３に沿って面４５が形成されている。このような第一実施形態では、頂点３８を囲む周囲領域の全部に面４５が設けられている。
突出部４０ａ、４０ｂは、互いに左右対称の形状を有していて、接着部材４１によって目玉部材３０の後方に取り付けられる。このとき、突出部４０ａ、４０ｂを、接着部材４１を介して接着することによって面４５が頂点３８よりも後方の位置に保持される。なお、図２では開口部４３のｚ方向（上方）にのみ接着部材４１が示されているが、開口部４３の下方にも接着部材４１を設けることによって面４５の位置をより安定に維持することができる。
このような突出部４０ａ、４０ｂは、マスク１を装着している間、装着者の目が目玉部材３０の頂点３８に当たることを防いでいる。
【００１８】
図２に示した目玉部材３０及び突出部４０は、図３に示したように、面本体１０の裏面Ｂに取り付けられる。目玉部材３０は瞳貫通孔３９が面本体１０に対して目孔部３５の後方に位置するように取り付けられる。このため、マスク１の装着者は、瞳貫通孔３９、目孔部３５を介してマスク１の前方を見ることができる。さらに、瞳貫通孔３９の周囲には面４５があって、面４５が装着者の眼窩周辺に当接し、頂点３８と装着者の眼球との接触を防いでいる。
また、面本体１０の正面パーツ１１、側面パーツ１２及び上面パーツ１３は、複数の山折部１１１及び谷折部１１２によって貼り合わされている。このようにすれば、面本体１０の曲線を平面の紙を使って自然に表現できる上、パーツ間の境界に張力が均等にかかるようにして面本体１０を破損し難くすることができる。
【００１９】
（目玉部材）
図４は、目玉部材３０を前方から見た模式的な斜視図である。図５は、図４中に示した矢線Ｃ−Ｃにおける目玉部材３０の上部分の横断面図である。凹面３７は、各々がマスク１の目を表す部材であるから１つのマスク１に２つ装着される。２つの凹面３７は接続部材３６によって接続され、互いのｘ方向の距離が一定に保たれている。凹面３７の側方には、側面パーツ１２に当接される当接部３４が設けられている。当接部３４は目玉部材３０を安定して固定するために設けられるものであって、当接部３４を側面パーツ１２に接着するようにしてもよい。
凹面３７は、上記したように、瞳を模した図画を有する瞳部５０を、表面Ａの側から目孔部３５を介して視認される位置に備えている。なお、瞳部５０は、人間や動物の目の瞳孔を想起させる図画を有するものであればよく、視覚情報を取り込む機能を有することを想起させる機械的な構成の図画であってもよい。第一実施形態の瞳部５０は、瞳貫通孔３９を瞳孔に見立てて瞳貫通孔３９の周辺に配置される虹彩を表す濃色の領域である。第一実施形態では、瞳部５０を眼球のイメージに近づけるため、瞳部５０内に眼球が光っていることを表した白斑５０ａを示している。
【００２０】
上記したように、瞳部５０は表裏を貫通する瞳貫通孔３９を有している。瞳貫通孔３９の開口径の最大長さは１ｍｍ以上、８ｍｍ以下が好ましく、１ｍｍ以上、５ｍｍ以下がより好ましく、さらには１ｍｍ以上、３ｍｍ以下がより好ましい。このような瞳貫通孔３９の開口径は、人間の瞳よりも小さいことが好ましい。また、瞳部５０の図面において瞳の光を示す白斑５０ａの最大長さは瞳貫通孔３９の開口径の最大長さよりも小さいものとする。
上記構成は、本考案の考案者らが瞳貫通孔３９の開口径や白斑５０ａの大きさを代えて行った実験の結果から瞳部５０が観測者を追って移動する効果を確認して決定されたものである。なお、開口部の上面視が円形でない場合、「開口径の最大長さ」は、例えば、円形でない開口部の外接円の径としてもよい。また、白斑５０ａの長さは、例えば、白斑５０ａの外接円を想定し、この外接円の径としてもよい。さらに、白斑５０ａは白色でなくてもよく、瞳部５０の色彩より明度が高いものであればよい。
【００２１】
上記のように構成された目玉部材３０は、図５に示すように、表面Ａの側から入射して焦点ｆを通った光が凹面３７の瞳部５０の領域において反射される。瞳部５０の領域にて反射された反射光は、凡そ目玉部材３０の正面に向かう平行光になる。このため、観測者がマスク１の前方にいる場合、マスク１は広範囲の領域においてマスク１の瞳部５０が自身に向いているような感覚を観測者に与えることが可能になる。
図６（ａ）、図６（ｂ）及び図６（ｃ）は、上記効果を説明するための図である。図６（ａ）はマスク１の正面図、図６（ｂ）はマスク１の斜視図、図６（ｃ）はマスク１の側面図である。目玉部材３０の瞳部５０を凹面３７に設けた第一実施形態は、図６（ａ）から図（ｃ）に示すように、観測者がマスク１を正面、斜め方向、側面のいずれから見た場合にも瞳部５０が観測者を見ているように見える。
このような第一実施形態のマスク１によれば、マスク１のリアリティが高まってマスク１の装着者が、マスク１が模倣する人物やキャラクターのイメージに近くなる。そして、イベント等の会場にマスク１のイメージに近い装着者がいることにより、イベント等の参加者の精神を高揚させる、あるいはイベント等の話題性を高めることができる。
【００２２】
［マスク製造用パーツ］
以上説明したマスク１は、上記完成品として流通することはもちろん、マスク製造用パーツとして流通するものであってもよい。マスク製造用パーツは、上記マスク１を製造するマスク製造用パーツであって、面本体１０及び目玉部材３０をそれぞれ展開した平面形状をなしている。このようなマスク製造用パーツは、例えば購入者によって組立てられる。
図７（ａ）は、ペーパークラフトとしてのマスク１の目鼻パーツ２０を構成する目パーツ２００ａ、鼻パーツ２００ｂ及び正面パーツ１１の額の部分を形成する額パーツ３００を例示した図である。ペーパークラフトとしての目パーツ２００ａ、鼻パーツ２００ｂ及び額パーツ３００は、いずれもコート１３５ｋｇ前後の用紙の片面に図柄を展開して印刷し、印刷された領域を背景となる領域から切り離して形成されている。さらに、目パーツ２００ａ、鼻パーツ２００ｂ及び額パーツ３００には、組立て時のガイドとなる「山折線」、「谷折線」及び「糊代」等の表記が付されていてもよい。
なお、第一実施形態のマスク１の各パーツは、紙を材料とすることに限定されず、布、革、プラスチック等の樹脂、金属及び木材を材料とするものであってもよい。
【００２３】
［マスク製造用材］
さらに、第一実施形態のマスク１は、マスク製造用材として流通することもできる。図７（ｂ）は、図７（ａ）に示した目パーツ２００ａ、鼻パーツ２００ｂ及び額パーツ３００のマスク製造用材であって、シート状のマスク材料１００上に、フレーム部と、このフレーム部に対して打ち抜き可能に連結された図７（ａ）のマスク製造用パーツと、を含んでいる。図７（ｂ）には、打ち抜き可能に連結されたマスク製造用パーツとして、目パーツ２０１ａ、鼻パーツ２０１ｂ及び額パーツ３０１が示されている。第一実施形態のフレーム部とは、マスク材料１００のうちのマスク製造用パーツが表示されていない領域をいう。
また、図７（ｂ）では、マスク材料１００として紙を例示している。第一実施形態のマスク製造用材では、マスク材料１００に連結されたマスク製造用パーツを切り離すことが容易なように、目パーツ２００ａ及び鼻パーツ２００ｂの周囲に例えばミシン目等の切り込みが入っている。なお、マスク材料１００としては、紙の他、例えばシート状の布、革、プラスチック等の樹脂、金属及び木材等が考えられる。
マスク１をマスク製造用材として流通させる場合、マスク１をシート状にして輸送や収容することができるので、輸送や収容に係るスペースを小さくすることができる。また、パーツを切り離す作業が不要になってマスク１のコストを低減することができる。
【００２４】
第一実施形態のマスクは、完成したマスクを装着し、別の人間や動物、またはアニメ、漫画等のキャラクターになって写真や映像等を撮影するパーティーグッズのような機能を有する。また、第一実施形態のマスク製造用パーツ及びマスク製造用材は、展開図を組み立てる過程で脳と手の協調性を鍛え、身心のストレスを解消する効果をも有している。
【００２５】
次に、以上説明した実施形態の第一変形例、第二変形例及び第三変形例を説明する。第一変形例から第三変形例は、いずれも面状部材が上記実施形態と相違するものである。
［第一変形例］
図８は、第一変形例の顔造形体を説明するための図である。第一変形例の顔造形体は、ポスター２として構成されている。ポスター２は、面状部材を紙８０とした例である。ポスター２の紙８０には人物の図画が描かれており、人物の目に当たる位置に一対の目孔部８９が形成されていて、目孔部８９の後方には目玉部材８１が紙８０の裏面に取り付けられている。なお、目玉部材８１は、図４に示した構成と略同様の構成を有し、目玉部材３０の瞳貫通孔３９を有していない点で目玉部材３０と相違する。
このような第一変形例のポスター２では、ポスター２を見る角度が比較的広い範囲で変わっても、ポスター２に描かれた人物と視線が合うように感じるギミックを提供することができる。
【００２６】
［第二変形例］
図９は、第二変形例の顔造形体を説明するための図である。第二変形例の顔造形体は、看板３として構成されている。看板３は、面状部材を厚紙９０とした例である。看板３の厚紙９０には人物の全身を示す図画が描かれており、人物の目に当たる位置に一対の目孔部９９が形成されていて、目孔部９９の後方には目玉部材８１が厚紙９０の裏面に取り付けられている。
このような第二変形例の看板３では、看板３を見る角度が比較的広い範囲で変わっても、看板３に描かれた人物と視線が合うように感じるギミックを提供することができる。
【００２７】
［第三変形例］
図１０（ａ）、図１０（ｂ）は、第三変形例の顔造形体を説明するための図である。図１０（ａ）に示すように、第三変形例の顔造形体は、車のライトＬに取り付けられるアクセサリ４として構成されている。アクセサリ４は、面状部材をカバー９５とした例である。カバー９５の素材は、紙、樹脂及び金属箔等のいずれかを含むものとする。アクセサリ４のカバー９５には目孔部９７が開口されている。目孔部９７は、一のカバー９５に対して一個形成されている。目孔部９７の後方には目玉部材９８がカバー９５の裏面に取り付けられている。
このような第三変形例のアクセサリ４は、図１０（ｂ）に示すように、アクセサリ４のカバー９５をライトＬの周辺の凹部Ｌｕの縁に合わせて凹部Ｌｕに被せることにより、車両のライトＬを、目を模したような印象にすることができる。そして、このような第三変形例によれば、アクセサリ４を見る角度が比較的広い範囲で変わっても、アクセサリ４後方の目玉部材９８の瞳部（図示せず）と視線が合うように感じるギミックを提供することができる。
【００２８】
第一実施形態の第三変形例は、上記したように、目玉部材９８を一対の目玉を別々にしたものとし、二つの目玉部材９８をそれぞれライトＬの前面に取り付けている。第三変形例は、このように目玉部材を一対の目玉の各々について製造し、カバー９５に一つ形成された目孔部９７に対応して取り付けられる点で上記実施形態及び他の変形例と相違している。このような構成は、例えば、顔造形体が、目玉が一つだけ視認される横顔をモチーフにした場合にも用いることができる。
【００２９】
なお、本考案の顔造形体は、以上説明した構成に限定されるものではない。例えば、第一実施形態の顔造形体は、マスク１、ポスター２、看板３及びアクセサリ４に限定されるものでなく、面部材の開口部後方に目玉部材を設けるものであれば、フィギュアやプラモデル、カード等、他の構成にも適用できる。また、第一実施形態の顔造形体は、マスク１のように製造用材を貼り合わせて製造されるものでなく、予め形成されている切込みを嵌め合わせて製造されるものであってもよい。
【００３０】
＜第二実施形態＞
次に、本考案の第二実施形態を説明する。
図１１は、第二実施形態の顔造形体５を説明するための図である。本考案の第二実施形態は、面部材が、表面上で視認される顔画像１２１が形成されたシート部材１２０である点で第一実施形態と相違する。シート部材１２０は、表面Ｅ及び裏面Ｆを有する面部材である。シート部材１２０には、第一実施形態と同様に、裏面Ｆ及び表面Ｅを貫通する目孔部１２２が形成されている。第二実施形態の目玉部材１２３は、裏面Ｆの側にあって、かつ目孔部１２２と離間して設けられている。目玉部材１２３は、表面Ｅの側から目孔部１２２を介して視認される画像が付された目玉面である瞳部１２４を有している。
【００３１】
（シート部材）
シート部材１２０は、薄板で構成され、この薄板の表面Ｅに顔画像１２１が形成されている。薄板の材質は、紙、木、布、樹脂及び金属等のいずれであってもよく、また、その厚さが規定されるものではない。シート部材１２０の「薄板」の文言は、表面Ｅ及び裏面Ｆが側面に比べて充分大きく、直感的に板状であると認識されることを指す。また、図１２に示したシート部材１２０は平板であるが、第二実施形態はシート部材１２０が平板であることに限定されるものでなく、少なくとも一部に凹凸を有するものであってもよい。
顔画像１２１は、直感的に目であると視認される部分を有する画像であればどのような画像であってもよく、人間、人間を除く動物、ロボット等のいずれの「顔」であってもよい。また、顔画像１２１は、実在の人物や動物等であってもよいし、架空の人物や動物等のものであってもよい。また、顔画像１２１は、油彩や水彩等によって描画されたものであってもよいし、印刷物等の複製品であってもよい。
【００３２】
（目玉部材）
第二実施形態の目玉部材１２３は、裏面Ｆ及びこの裏面Ｆの反対面に当たる表面Ｅを有するシート部材１２０の裏面Ｆの側に固定される。そして、シート部材１２０に形成された目孔部１２２を介して表面Ｅの側から視認される画像である瞳部１２４が付された目玉面である裏面Ｈを有している。裏面Ｈは、裏面Ｆと距離を持って位置している。
【００３３】
図１１に示した目玉部材１２３は、全体が透明の板部材である。ここで、板部材とは、六面を有する直方体または立方体をいう。図１１に示した例では、六面のうち、シート部材１２０の裏面Ｆに接する面を表面Ｇ、その裏面を裏面Ｈとする。裏面Ｈが目玉面となる。目玉面である裏面Ｈには、瞳部１２４が描画、あるいは印刷等によって形成されている。つまり、瞳部１２４は、目玉部材１２３の裏面Ｈ上に形成されている。
このような構成により、第二実施形態は、シート部材１２０の裏面Ｆと目玉面である裏面Ｈとの間の距離が、シート部材１２０の厚さｄ１に保たれる。このとき、目玉部材１２３が透明であることから、目孔部１２２から瞳部１２４の少なくとも一部が視認される。このとき、顔造形体５を見る観測者と顔造形体５の角度により、観測者から見える瞳部１２４の部分や部分の範囲が相違する。また、瞳部１２４がシート部材１２０の表面Ｅの後方に位置することにより、瞳部１２４が表面Ｅ上にある場合に比べて観測者から瞳部１２４が見える範囲が広くなる。このことにより、第二実施形態は、観測者が顔造形体５を見る角度を変えた場合に顔画像１２１の人物等が観測者を目で追うような印象を与えることができる。
【００３４】
なお、第二実施形態において、目玉部材１２３の透明度の範囲は特に規定されるものではないが、前方または側方から顔造形体５を見て瞳部１２４が充分見える透明度を有することが望ましい。また、目玉部材１２３は、顔造形体５の前方または側方から瞳部１２４が視認できれば、着色されたものであってもよい。目玉部材１２３は、図１１に示したように、全面が平面であることに限定されず、少なくともその一面に凹凸を有するものであてもよい。例えば、顔造形体５においても、第一実施形態のように、目玉部材１２３の瞳部１２４に当たる位置を表面Ｇから裏面Ｈに向かう凹面としてもよい。
また、シート部材１２０は、その一部が薄板状であればよく、例えば、薄板状の部分が枠体に取り付けられるキャンバスの態様であってもよい。
また、シート部材１２０への目玉部材１２３の取り付けは、目玉部材１２３の表面Ｇのうち、目孔部１２２に対応する部分を除く部分に接着剤等を塗布して貼り付けるものであってもよいし、シート部材１２０の裏面Ｆの側に目玉部材１２３を取り付ける冶具を設けてもよい。さらに、目玉部材１２３に必要な透明性を損なわない部材であれば、裏面Ｈの側から目玉部材１２３をシート部材１２０の裏面Ｆに固定するものであってもよい。さらに、第二実施形態は、目玉部材１２３をシート部材１２０に直接装着する構成に限定されず、目玉部材１２３とシート部材１２０とを別体としてそれぞれ固定するものであってもよい。
【００３５】
また、第二実施形態は、上記したように、目玉部材１２３自身の厚さｄ１によってシート部材１２０と瞳部１２４との距離を保つものに限定されるものではない。例えば、シート部材１２０の裏面Ｆ及び目玉面に接し、裏面Ｆと目玉面との間の距離を一定に保つ距離保持部１３０を有する構成としてもよい。
図１２は、上記構成を説明するための図である。図１２に示した顔造形体６は、シート部材１２０及び目玉部材１２３の他、距離保持部１３０を有している。図１２に示した距離保持部１３０は、板片部材１３０ａ、１３０ｂにより構成される。図１２は、シート部材１２０、目玉部材１２３及び距離保持部１３０の係り合いを示す分解斜視図であって、顔造形体６においては、距離保持部１３０が、シート部材１２０の裏面Ｆと目玉部材１２３の表面Ｇとに当接した状態で固定される
距離保持部１３０は、シート部材１２０に取り付けられるものであっても、目玉部材１２３に取り付けられるものであってもよい。距離保持部１３０の取り付けは、接着剤によって行うものであってもよいし、冶具を使って行うものであってもよい。なお、顔造形体６において、距離保持部１３０が瞳部１２４の視認を妨げない位置に取り付けられることは言うまでもない。
【００３６】
図１２に示した顔造形体６によれば、目玉部材１２３の厚さｄ１に加えて板片部材１３０ａ、１３０ｂの厚さｄ２によりシート部材１２０の裏面Ｆと瞳部１２４との距離を調整することができる。このため、顔造形体６は、顔造形体５よりも裏面Ｆと瞳部１２４との距離の設定の自由度を高めることができる。また、裏面Ｆと瞳部１２４との距離を任意に設定することができる。
また、このような顔造形体６は、上記構成に限定されるものではない。例えば、顔造形体６において、目玉部材は透明の部材に限定されるものでなく、不透明の部材に瞳部１２４を形成するものであってもよい。このとき、瞳部１２４は、目玉部材１２３の表面Ｇに形成され、表面Ｇが目玉面となる。そして、シート部材１２０の裏面Ｆと瞳部１２４との距離は、板片部材１３０ａ、１３０ｂの厚さｄ２によってのみ決定される。
以上説明した第二実施形態の顔造形体によれば、シート状の部材に描かれた顔画像において、観測者が顔画像に対する角度を変更したとき、顔画像に描かれた人物等の目が観測者を追ってくるような印象を観測者に与えることができる。
【符号の説明】
【００３７】
１・・・マスク
２・・・ポスター
３・・・看板
４・・・アクセサリ
５、６・・・顔造形体
１０・・・面本体
１１・・・正面パーツ
１２・・・側面パーツ
１２ａ・・・耳孔
１３・・・上面パーツ
２０・・・目鼻パーツ
３０、８１、９８、１２３・・・目玉部材
３１、３３・・・接着部
３４・・・当接部
３５・・・目孔部
３６・・・接続部材
３７・・・凹面
３８・・・頂点
３９・・・瞳貫通孔
４０、４０ａ、４０ｂ・・・突出部
４１・・・接着部材
４３・・・開口部
４５・・・面
５０・・・瞳部
５０ａ・・・白斑
８０・・・紙
８９、１２４・・・目孔部
９０・・・厚紙
９５・・・カバー
９７、９９、１２２・・・目孔部
１００・・・マスク材料
１１１・・・山折部
１１２・・・谷折部
１２０・・・シート部材
１２１・・・顔画像
１３０・・・距離保持部
１３０ａ、１３０ｂ・・・板片部材
２００ａ、２０１ａ・・・目パーツ
２００ｂ、２０１ｂ・・・鼻パーツ
３００、３０１・・・額パーツ
Ａ、Ｅ、Ｇ・・・表面
Ｂ、Ｆ、Ｈ・・・裏面
【図１】
0003212679.tif 000003
【図２】
0003212679.tif 000004
【図３】
0003212679.tif 000005
【図４】
0003212679.tif 000006
【図５】
0003212679.tif 000007
【図６】
0003212679.tif 000008
【図７】
0003212679.tif 000009
【図８】
0003212679.tif 000010
【図９】
0003212679.tif 000011
【図１０】
0003212679.tif 000012
【図１１】
0003212679.tif 000013
【図１２】
0003212679.tif 000014
【手続補正書】
【提出日】平成29年7月26日(2017.7.26)
【手続補正１】
【補正対象書類名】実用新案登録請求の範囲
【補正対象項目名】全文
【補正方法】変更
【補正の内容】
【実用新案登録請求の範囲】
【請求項１】
表面及び裏面を有する面部材と、
前記面部材の前記裏面及び前記表面を貫通する貫通孔部と、
前記裏面の側にあって、かつ前記貫通孔部と離間して設けられる目玉部材と、を備え、
前記目玉部材は、前記表面の側から前記貫通孔部を介して視認される画像が付された目玉面を有する、顔造形体。
【請求項２】
前記目玉面は、前記表面から前記裏面に向かう後方に凹形状をなす凹面を有し、当該凹面の少なくとも一部が前記表面の側から前記貫通孔部を介して視認される、請求項１に記載の顔造形体。
【請求項３】
前記凹面の裏面が後方に突出する頂点を囲む周囲領域の少なくとも一部に設けられ、前記頂点よりも前記貫通孔部から遠い位置にある面を有する突出部をさらに備える、請求項２に記載の顔造形体。
【請求項４】
前記目玉面は、前記画像として、瞳を模した図画を有する瞳部を前記表面の側から前記貫通孔部を介して視認される位置に備える、請求項１から３のいずれか１項に記載の顔造形体。
【請求項５】
前記瞳部は表裏を貫通する瞳貫通孔を有し、当該瞳貫通孔の開口径の最大長さが１ｍｍ以上、３ｍｍ以下である、請求項４に記載の顔造形体。
【請求項６】
前記瞳部は前記図画において瞳の光を示す白斑を有し、当該白斑の最大長さが前記瞳貫通孔の開口径の最大長さよりも小さい、請求項５に記載の顔造形体。
【請求項７】
前記面部材は、前記裏面が被装着面に装着されて前記被装着面上において前記表面が視認される面本体である、請求項１から６のいずれか１項に記載の顔造形体。
【請求項８】
前記貫通孔部は、一の前記面部材に対して一または二個形成され、前記目玉部材は、前記貫通孔部に対応して一または二個備えられる、請求項１から７のいずれか１項に記載の顔造形体。
【請求項９】
前記面部材は、前記表面上で視認される顔画像が形成されたシート部材である、請求項１から５のいずれか１項に記載の顔造形体。
【請求項１０】
前記面部材の前記裏面及び前記目玉面に接し、前記裏面と前記目玉面との間の距離を一定に保つ距離保持部を有する、請求項９に記載の顔造形体。
【請求項１１】
前記目玉部材は透明の板部材であり、当該板部材の一の面が前記裏面と接し、前記板部材の一の面の裏面が前記目玉面であり、前記裏面と前記目玉面との間の距離を前記板部材の厚さに保つ、請求項９に記載の顔造形体。
【請求項１２】
被装着面に向かう裏面及び当該裏面の反対面に当たる表面を有する面部材に装着される目玉部材であって、
前記表面から前記裏面に向かう後方に凹形状をなす凹面を有し、当該凹面の底部を含む領域に瞳を模した図画を有する瞳部を備える、目玉部材。
【請求項１３】
前記凹面の裏面が後方に突出する頂点を囲む周囲領域の少なくとも一部に設けられ、前記頂点よりも後方にある面を有する突出部をさらに備える、請求項１２に記載の目玉部材。
【請求項１４】
裏面及び当該裏面の反対面に当たる表面を有するシート部材の前記裏面の側に固定される目玉部材であって、
前記シート部材に形成された貫通孔部を介して前記表面の側から視認される画像が付された目玉面を有し、
前記目玉面は、前記裏面と距離を持って位置する、目玉部材。
【請求項１５】
前記シート部材の前記裏面及び前記目玉面に接し、前記裏面と前記目玉面との間の距離を一定に保つ距離保持部を有する、請求項１４に記載の目玉部材。
【請求項１６】
前記目玉部材は透明の板部材であり、当該板部材の一の主面が前記裏面と接し、他の主面が前記目玉面であり、前記裏面と前記目玉面との間の距離を前記板部材の厚さに保つ、請求項１４に記載の目玉部材。
【請求項１７】
請求項１から請求項８のいずれか１項に記載の顔造形体を製造する顔造形体製造用パーツであって、前記面部材及び前記目玉部材をそれぞれ展開した平面形状をなす顔造形体製造用パーツ。
【請求項１８】
シート状の顔造形体材料上に、フレーム部と、前記フレーム部に対して打ち抜き可能に連結された請求項１７に記載の顔造形体製造用パーツと、を含む顔造形体製造用材。